(57)【特許請求の範囲】
【請求項１】
遊技者によって回転操作される発射ハンドルと、前記発射ハンドルの操作量に応じた発射強度で遊技球を発射する発射駆動手段と、遊技球の発射を停止する発射停止スイッチと、前記発射駆動手段と前記発射停止スイッチの駆動制御を行う発射駆動制御手段と、を有する遊技機本体に接続可能であって、
前記発射駆動制御手段に接続されると共に入力判定部および切替回路部を有する機能訓練用制御手段と、使用者の運動によって動作される可動部を有する複数種類の訓練器具と、前記可動部によってオン動作される検知スイッチと、を備え、
複数種類の前記訓練器具の１つが前記入力判定部に接続されることにより、該入力判定部から前記切替回路部に対して前記発射駆動制御手段の動作状態を通常モードから訓練モードに切り替える切替信号が出力され、
前記訓練モードにおいて使用者が前記訓練器具の前記検知スイッチをオン動作させることにより、前記切替回路部から前記発射駆動制御手段に対して遊技球の発射を許可する信号が出力されることを特徴とする機能訓練装置。
【請求項２】
請求項１の記載において、前記機能訓練用制御手段に表示装置が接続されており、前記機能訓練用制御手段は前記表示装置に前記検知スイッチがオン動作した回数を表示可能であることを特徴とする機能訓練装置。
【請求項３】
請求項１の記載において、前記機能訓練用制御手段は収納ボックスの内部に配置された中継基板に設けられており、前記収納ボックスの外面側に遊技球の発射強度を調整可能な調整摘みが設けられていることを特徴とする機能訓練装置。
【請求項４】
請求項３の記載において、前記検知スイッチにプラグ付のケーブルが接続されており、前記プラグを前記収納ボックスに設けたジャックに挿入することにより、前記機能訓練用制御手段と前記検知スイッチが前記ケーブルを介して接続されることを特徴とする機能訓練装置。
【発明の詳細な説明】
【技術分野】
【０００１】
本発明は、介護予防運動やリハビリ運動等の機能訓練に好適な機能訓練装置に関するものである。
【背景技術】
【０００２】
遊技機の代表例であるパチンコ機は、遊技盤を収納する遊技機本体の前面下部に発射ハンドルが設けられており、この発射ハンドルを遊技者が回転操作することにより、遊技盤の前面（盤面）に形成された遊技領域に向けて発射装置から遊技球が打ち出されるようになっている。
【０００３】
発射ハンドルは、遊技者の手指によって回転操作される回動リングや、回動リングの回転量を検出する発射レバーボリューム等を備えており、発射レバーボリュームの出力信号に基づいて発射装置のモータが打撃槌の回転駆動力を制御することにより、遊技球が回動リングの回転角度に応じた発射強度で打ち出される。また、回動リングはタッチ回路と電気的に接続されており、遊技者が回動リングに接触している時だけ発射装置のモータに電力が供給されるようになっている。さらに、回動リングの近傍に作動ボタンが配設されており、遊技中の遊技者がこの作動ボタンを押し込み操作して発射停止スイッチをオン動作させると、回動リングを回転操作しているのにも拘わらず遊技球の発射が一時的に停止するようになっている。
【０００４】
発射レバーボリュームとタッチ回路および発射停止スイッチは払出制御基板に設けられた発射駆動制御部に接続されており、発射駆動制御部は、発射レバーボリュームとタッチ回路および発射停止スイッチの出力信号に基づいて発射装置のモータを駆動制御することにより、遊技球の発射強度の調整や遊技球の発射停止が行われる。この払出制御基板は遊技機本体の背面側に設置されており、それ以外にも、遊技機本体の背面側には遊技に関する制御を行う主制御基板等が設置されている。
【０００５】
このようなパチンコ機は、身体的に不自由のない遊技者が発射ハンドルを操作することを前提としているが、高齢者や体の不自由な遊技者が発射ハンドルを利用しようとすると、回動リングの回転操作や作動ボタンの押し込み操作が困難となる場合がある。
【０００６】
そこで従来より、特許文献１に記載されているように、遊技者の手によって回転操作されるローラと、ローラの回転操作量に応じた発射強度で遊技球を発射する発射強度制御部を発射ハンドルとは別体に設けることにより、発射ハンドルを操作することなくローラを回転操作するだけで、高齢者や体の不自由な遊技者が遊技球の発射強度の調整を負担なく行えるようにしたパチンコ機が提案されている。
【０００７】
また、他の従来例として、特許文献２に記載されているように、グリップ部を遊技機本体の前面下部に設けると共に、このグリップ部の前側面および前側面に第１操作部と第２操作部をそれぞれ設け、グリップ部を把持した遊技者の指で第１操作部を操作して発射装置をオン動作させた状態で、第２操作部を操作して遊技球の発射強度を調整するようにしたパチンコ機が提案されている。
【先行技術文献】
【特許文献】
【０００８】
【特許文献１】特開２００９−４５２７０号公報
【特許文献２】特開２００８−２０６５６５号公報
【発明の概要】
【発明が解決しようとする課題】
【０００９】
特許文献１や特許文献２に記載された従来技術では、発射ハンドルを回転操作しなくても遊技球を所望の発射強度で打ち出すことはできるが、あくまでも遊技者の手動操作を前提とした遊技球の発射動作であるため、手の不自由な人は遊技を楽しむことができなくなる。また、介護施設や老人ホーム等の入居者がパチンコ遊技を楽しみながら身体を動かす機能訓練を行おうとした場合、前述した従来のパチンコ機では、ローラやダイヤル式操作部を回転するだけの単純操作で遊技球が発射されるため、介護予防運動やリハビリ運動等の機能訓練には不向きであった。
【００１０】
本発明は、このような従来技術の実情に鑑みてなされたもので、その目的は、介護予防運動やリハビリ運動等の機能訓練に好適な機能訓練装置を提供することにある。
【課題を解決するための手段】
【００１４】
上記の目的を達成するために、本発明の機能訓練装置は、遊技者によって回転操作される発射ハンドルと、前記発射ハンドルの操作量に応じた発射強度で遊技球を発射する発射駆動手段と、遊技球の発射を停止する発射停止スイッチと、前記発射駆動手段と前記発射停止スイッチの駆動制御を行う発射駆動制御手段と、を有する遊技機本体に接続可能であって、前記発射駆動制御手段に接続されると共に入力判定部および切替回路部を有する機能訓練用制御手段と、使用者の運動によって動作される可動部を有する複数種類の訓練器具と、前記可動部によってオン動作される検知スイッチと、を備え、複数種類の前記訓練器具の１つが前記入力判定部に接続されることにより、該入力判定部から前記切替回路部に対して前記発射駆動制御手段の動作状態を通常モードから訓練モードに切り替える切替信号が出力され、前記訓練モードにおいて使用者が前記訓練器具の前記検知スイッチをオン動作させることにより、前記切替回路部から前記発射駆動制御手段に対して遊技球の発射を許可する信号が出力されることを特徴としている。
【００１５】
このように構成された機能訓練装置によれば、発射ハンドルや発射停止スイッチ等を備えた遊技機本体に接続された機能訓練用制御手段の入力判定部に、複数種類の訓練器具の１つを選択的に接続し、この状態で使用者が訓練器具の可動部を動作させると、遊技機本体の発射駆動手段によって遊技球が発射されるため、使用者は遊技を楽しみながら介護予防運動やリハビリ運動等の様々な機能訓練を行うことができる。
【００１６】
上記の機能訓練装置において、前記機能訓練用制御手段に表示装置が接続されており、前記機能訓練用制御手段は前記表示装置に前記検知スイッチがオン動作した回数を表示可能であると、使用者が運動した回数を視覚的に把握することができて好ましい。
【００１７】
また、上記の機能訓練装置において、前記機能訓練用制御手段は収納ボックスの内部に配置された中継基板に設けられており、前記収納ボックスの外面側に遊技球の発射強度を調整可能な調整摘みが設けられていると、機能訓練を行う使用者は所望の発射強度で遊技球を発射することができる。
【００１８】
この場合において、前記検知スイッチにプラグ付のケーブルが接続されており、前記プラグを前記収納ボックスに設けたジャックに挿入することにより、前記機能訓練用制御手段と前記検知スイッチが前記ケーブルを介して接続されると、使用形態が異なる複数種類の訓練器具を用いてバリエーションに富んだ機能訓練を行うことができる。
【発明の効果】
【００２０】
本発明の機能訓練装置によれば、遊技機に接続することで遊技を楽しみながら介護予防運動やリハビリ運動等の機能訓練を行うことができる。
【図面の簡単な説明】
【００２１】
【図１】実施形態例に係るパチンコ機と機能訓練装置の斜視図である。
【図２】図１に示すパチンコ機の正面図である。
【図３】パチンコ機の払出制御基板の概略構成を示すブロック図である。
【図４】機能訓練装置の機能訓練用制御手段の概略構成を示すブロック図である。
【図５】訓練器具の変形例を示す説明図である。
【図６】訓練器具の変形例を示す説明図である。
【図７】訓練器具の変形例を示す説明図である。
【図８】訓練器具の変形例を示す説明図である。
【図９】訓練器具の変形例を示す説明図である。
【発明を実施するための形態】
【００２２】
発明の実施の形態について図面を参照して説明すると、図１に示すように、遊技機であるパチンコ機１は支持体２に収容・保持されており、このパチンコ機１に機能訓練装置が接続されるようになっている。支持体２の下部には開閉可能な収納部２ａが設けられており、この収納部２ａに後述する訓練器具等を収納して保管できるようになっている。
【００２３】
図２に示すように、パチンコ機１は、遊技機本体３の内部に設けられた遊技盤４と、遊技機本体３の前面下部に設けられた発射ハンドル５等を備えており、この発射ハンドル５を遊技者が回転操作することにより、遊技盤４の前面の遊技領域に向けて遊技球が所望の発射強度で打ち出されるようになっている。かかる遊技球の発射や払出しの動作は発射駆動制御手段によって制御され、遊技機本体３の背面側には、この発射駆動制御手段を搭載する払出制御基板６や遊技に関する制御を行う主制御基板等が設置されている。
【００２４】
図３に示すように、この払出制御基板６は、タッチセンサ７と発射停止スイッチ８および発射レバーボリューム９からの出力信号を取り込み、これらの信号に基づいて払出モータ１０と球送りソレノイド１１の動作を制御する。タッチセンサ７は遊技者が発射ハンドル５に接触しているか否かを検出するセンサであり、遊技者が発射ハンドル５に接触しているときだけ払出制御基板６にオン信号を出力する。発射停止スイッチ８は発射ハンドル５の近傍に配設された作動ボタン５ａ（図２参照）によって動作され、通常はオフ状態に維持されているが、遊技者が作動ボタン５ａを押し込み操作したときだけ払出制御基板６にオン信号を出力する。発射レバーボリューム９は発射ハンドル５の回転量を検出するロータリボリュームであり、ロータリボリュームの代わりにロータリエンコーダ等を用いることも可能である。払出モータ１０は発射停止スイッチ８がオフ状態にあるときの発射レバーボリューム９の出力信号に基づいて動作され、発射装置の打撃槌を発射ハンドル５の回転操作量に応じて回転駆動制御する。球送りソレノイド１１はタッチセンサ７がオン状態にあるときに動作され、発射装置に遊技球を１個ずつ供給する。
【００２５】
したがって、遊技者が発射ハンドル５を握りながら回転操作すると、タッチセンサ７と発射レバーボリューム９の出力信号に基づいて払出モータ１０と球送りソレノイド１１が動作され、遊技球が発射ハンドル５の回転角度に応じた発射強度で遊技盤４の遊技領域に打ち出される。また、遊技者が発射ハンドル５を握りながら作動ボタン５ａを押し込み操作すると、発射停止スイッチ８から払出制御基板６にオン信号が出力されるため、発射ハンドル５を回転操作しているのにも拘わらず遊技球の発射が停止される。
【００２６】
ここで、タッチセンサ７と発射停止スイッチ８および発射レバーボリューム９はインターフェースを介して中継基板１２にも接続されており、後述するように、この中継基板１２に設けられた機能訓練用制御回路（機能訓練用制御手段）に訓練器具１３がケーブル１４を介して接続されるようになっている。
【００２７】
中継基板１２は収納ボックス１５の内部に配置されており、図１に示すように、パチンコ機１の払出制御基板６と収納ボックス１５内の中継基板１２はワイヤーハーネス１６を介して接続されている。図４に示すように、中継基板１２の機能訓練用制御回路は入力判定部１７と切替回路部１８とを有し、収納ボックス１５の側面には入力判定部１７と導通するジャック１９が設けられている。また、中継基板１２には切替回路部１８に接続するロータリボリューム２０が搭載されており、収納ボックス１５の前面にはロータリボリューム２０を回転操作する調整摘み２１が配設されている。
【００２８】
訓練器具１３は、直方体形状の器具本体２２と、器具本体２２の一面に設けられた可動部２２ａとを備えており、器具本体２２の内部には可動部２２ａによってオン動作される検知スイッチ２３が配設されている。この訓練器具１３を使用する場合は、使用者の掌で器具本体２２を把持しながら親指で可動部２２ａを押し込むようになっており、指のリハビリ運動に好適な訓練器具１３となっている。検知スイッチ２３はケーブル１４に接続されており、ケーブル１４の先端部に設けられたプラグ１４ａを収納ボックス１５のジャック１９に挿入することにより、検知スイッチ２３が入力判定部１７を介して切替回路部１８に接続されると共に、入力判定部１７から切替回路部１８に対して切替信号が出力されるようになっている。
【００２９】
切替回路部１８は、タッチセンサ７と発射停止スイッチ８および発射レバーボリューム９の動作状態を通常モードから訓練モードに切り替える機能を有している。この訓練モードでは、タッチセンサ７と発射停止スイッチ８および発射レバーボリューム９を払出制御基板６に接続する接続ラインが全て遮断されると共に、切替回路部１８から払出制御基板６に対して、タッチセンサ７のオン信号に相当する信号と、発射停止スイッチ８のオン信号に相当する信号と、発射レバーボリューム９に代わるロータリボリューム２０の出力信号がそれぞれ出力される。すなわち、訓練器具１３のケーブル１４を収納ボックス１５のジャック１９に挿入することにより、発射ハンドル５の回転操作中に作動ボタン５ａを押し込んで遊技球の発射が一時的に停止された状態と同様になり、この状態で訓練器具１３を使用して切替回路部１８に検知スイッチ２３のオン信号が入力されると、切替回路部１８から払出制御基板６に対して遊技球の発射を許可する信号（発射停止スイッチ８のオフ状態に相当する信号）が出力される。
【００３０】
また、切替回路部１８は、検知スイッチ２３がオン動作した回数をカウントする計数機能を有しており、その結果を外部の表示装置２４に出力可能となっている。図１に示すように、表示装置２４はパチンコ機１の上方の支持体２に設けられており、図示省略されているが、この表示装置２４には、検知スイッチ２３の動作回数だけでなくパチンコ遊技に関する各種データ、例えば、大当たり回数や賞球の払い出し個数等も表示できるようになっている。
【００３１】
図５〜図９は訓練器具１３の変形例を示すものであり、これらの図に示される訓練器具１３は、いずれもケーブル１４を介して収納ボックス１５内の中継基板１２と接続可能となっている。
【００３２】
図５（ａ）に示す訓練器具１３は、使用者の掌によって把持される一対の可動部２５ａと、両可動部２５ａを連結するコイル状のばね部２５ｂと、一方の可動部２５ａから突出する操作釦２５ｃとを備えており、一方の可動部２５ａの内部には操作釦２５ｃによってオン動作される検知スイッチ２３が配設されている。この訓練器具１３を使用する場合は、図５（ｂ）に示すように、一対の可動部２５ａをばね部２５ｂの弾発力に抗して近接させることで、操作釦２５ｃを押し込んで検知スイッチ２３をオン動作させるようになっており、主として掌の筋肉を鍛えるリハビリ運動に好適な訓練器具１３となっている。
【００３３】
図６（ａ）に示す訓練器具１３は、レール状の器具本体２６と、器具本体２６上を長手方向に沿って移動可能な可動部２６ａと、器具本体２６の長手方向の両端部に設けられた一対のストッパ部２６ｂと、これらストッパ部２６ｂの内面に設けられた操作釦２６ｃとを備えており、ストッパ部２６ｂの内部には操作釦２６ｃによってオン動作される検知スイッチ２３が配設されている。この訓練器具１３を使用する場合は、図６（ｂ）に示すように、可動部２６ａをいずれか一方のストッパ部２６ｂに近接させることで、操作釦２６ｃを押し込んで検知スイッチ２３をオン動作させるようになっており、主として上腕筋と大胸筋を鍛えるリハビリ運動に好適な訓練器具１３となっている。
【００３４】
図７に示す訓練器具１３は、弾性材料からなる球状の可動本体部２７ａと、可動本体部２７ａの一部を覆う滑り止め部２７ｂとを備えており、可動本体部２７ａの内部には所定以上の圧力によってオン動作される検知スイッチ２３が配設されている。この訓練器具１３を使用する場合は、滑り止め部２７ｂを両手で挟みながら内方へ押し込むことで、可動本体部２７ａを撓めて検知スイッチ２３をオン動作させるようになっており、全身の内転筋を鍛えるリハビリ運動に好適な訓練器具１３となっている。
【００３５】
図８に示す訓練器具１３は、平板状の支持台２８ａと、支持台２８ａ上に揺動可能に連結されたペダル状の可動部２８ｂとを備えており、支持台２８ａの内部には可動部２８ｂによってオン動作される検知スイッチ２３が配設されている。この訓練器具１３を使用する場合は、可動部２８ｂを踏み込んで検知スイッチ２３をオン動作させるようになっており、主として足首を鍛えるリハビリ運動に好適な訓練器具１３となっている。
【００３６】
図９に示す訓練器具１３は、アーム状の支持台２９ａと、支持台２９ａの中央部に設けられた左右一対のペダル部２９ｂとを備えており、支持台２９ａの内部にはペダル部２９ｂの回転によってオン動作される検知スイッチ２３が配設されている。この訓練器具１３を使用する場合は、ペダル部２９ｂを足漕ぎ操作して検知スイッチ２３をオン動作させるようになっており、足全体を鍛えるリハビリ運動に好適な訓練器具１３となっている。
【００３７】
本実施形態例に係るパチンコ機１と訓練器具１３は、介護施設や老人ホーム等の入居者によって使用されるものであり、図１や図５〜図９に示された訓練器具１３のいずれかを選択することにより、使用者がパチンコ遊技を楽しみながら介護予防運動やリハビリ運動等の機能訓練を行うことができるようになっている。
【００３８】
使用に際し、訓練器具１３から導出するケーブル１４のプラグ１４ａを収納ボックス１５のジャック１９に挿入すると、訓練器具１３が収納ボックス１５内の中継基板１２に設けられた機能訓練用制御回路に接続されることで、入力判定部１７から切替回路部１８に対して切替信号が出力される。その結果、切替回路部１８が通常モードから訓練モードに切り替わり、タッチセンサ７と発射停止スイッチ８および発射レバーボリューム９を払出制御基板６に接続している接続ラインを全て遮断（オフ）すると共に、切替回路部１８から払出制御基板６に対して、タッチセンサ７のオン信号に相当する信号と、発射停止スイッチ８のオン信号に相当する信号と、発射レバーボリューム９に代わるロータリボリューム２０の出力信号を出力する。ただし、この時点で訓練器具１３の検知スイッチ２３から切替回路部１８に対してオン信号は出力されないため、払出制御基板６から払出モータ１０と球送りソレノイド１１に駆動信号は出力されず、遊技球の発射が停止された状態に維持されている。
【００３９】
このように訓練器具１３のケーブル１４を収納ボックス１５のジャック１９に挿入した状態で、使用者が任意の訓練器具１３を使用して検知スイッチ２３をオン動作させると、例えば、図６に示す訓練器具１３の可動部２６ａを器具本体２６の長手方向に沿って移動させて、いずれか一方のストッパ部２６ｂに設けられた操作釦２６ｃを押し込んで検知スイッチ２３をオン動作させると、切替回路部１８から払出制御基板６に対して遊技球の発射を許可する信号（発射停止スイッチ８のオフ状態に相当する信号）が出力される。その結果、払出制御基板６から払出モータ１０と球送りソレノイド１１に駆動信号が出力され、払出モータ１０が発射装置の打撃槌をロータリボリューム２０の出力値に応じた強度で回転駆動制御するため、遊技球が所望の発射強度で遊技盤４の遊技領域に打ち出される。
【００４０】
したがって、使用者が任意の訓練器具１３を用いて検知スイッチ２３をオン動作させる運動を繰り返すと、その運動回数に応じた分だけ遊技球が発射されるため、使用者はパチンコ遊技を楽しみながら介護予防運動やリハビリ運動等の機能訓練を行うことができる。また、検知スイッチ２３がオン動作した回数をカウントした信号が表示装置２４に出力されるため、使用者は支持体２の上部に設けられ表示装置２４を見ることで、運動回数を視覚的に把握することができる。なお、遊技球の発射強度を調整する場合は、収納ボックス１５の前面に配設された調整摘み２１を回転操作することにより、ロータリボリューム２０の出力値を調整すれば良い。
【００４１】
以上説明したように、本実施形態例に係るパチンコ機（遊技機）１は、遊技盤４が設けられた遊技機本体３と、遊技盤４の遊技領域に向けて遊技球を発射する発射駆動手段（払出制御基板６）と、遊技機本体３とは別体で発射駆動手段に接続可能な訓練器具１３とを備え、使用者が訓練器具１３を動作させたときだけ、発射駆動手段による遊技球の発射が許可されるようになっているため、介護施設等に入居する使用者が遊技を楽しみながら介護予防運動やリハビリ運動等の機能訓練を行うことができる。
【００４２】
また、本実施形態例に係るパチンコ機１では、遊技機本体３に、遊技球を発射する払出モータ１０と、遊技球の発射を停止する発射停止スイッチ８と、これら払出モータ１０や発射停止スイッチ８の駆動制御を行う払出制御基板（発射駆動制御手段）６とが設けられていると共に、訓練器具１３は、使用者の運動によって動作される可動部と、可動部によってオン・オフの切り替え動作が行われる検知スイッチ２３とを有し、払出制御基板６は、検知スイッチ２３がオフ状態にあるときに発射停止スイッチ８を動作状態にして遊技球の発射を停止し、検知スイッチ２３がオン動作したときに発射停止スイッチ８を非動作状態にして遊技球の発射を許可するようにしたので、中古のパチンコ機１を再利用して介護予防運動やリハビリ運動等の機能訓練を行うことができる。
【００４３】
また、本実施形態例に係る機能訓練装置は、遊技者によって回転操作される発射ハンドル５と、発射ハンドル５の操作量に応じた発射強度で遊技球を発射する払出モータ１０と、遊技球の発射を停止する発射停止スイッチ８と、これら払出モータ１０や発射停止スイッチ８の駆動制御を行う払出制御基板６とを備えた遊技機本体３に接続可能であって、払出制御基板６に接続される機能訓練用制御手段（中継基板）１２と、使用者の運動によって動作される可動部（２２ａ，２５ａ，２６ａ等）と、可動部によってオン動作される検知スイッチ２３とを備え、機能訓練用制御手段１２は、検知スイッチ２３がオフ状態にあるときに払出制御基板６に対して遊技球の発射を停止する信号を出力し、検知スイッチ２３がオン動作したときに払出制御基板６に対して遊技球の発射を許可する信号を出力するため、訓練器具１３をパチンコ機１に接続した状態で使用者が可動部を動作させる度に遊技球が発射されることになり、使用者はパチンコ遊技を楽しみながら介護予防運動やリハビリ運動等の機能訓練を行うことができる。
【００４４】
また、本実施形態例に係る機能訓練装置では、機能訓練用制御手段１２に表示装置２４が接続されており、機能訓練用制御手段１２は表示装置２４に検知スイッチ２３がオン動作した回数を表示可能であるため、使用者は支持体２の上部に設けられた表示装置２４によって運動した回数を視覚的に把握することができる。なお、表示装置２４の設置場所は支持体２の上部に限らず、収納ボックス１５等の他の場所であっても良い。
【００４５】
また、本実施形態例に係る機能訓練装置では、機能訓練用制御手段は収納ボックス１５の内部に配置された中継基板１２に設けられており、収納ボックス１５の外面側に遊技球の発射強度を調整可能な調整摘み２１が設けられているため、機能訓練を行う使用者が調整摘み２１を操作することで所望の発射強度で遊技球を発射することができる。
【００４６】
また、本実施形態例に係る機能訓練装置では、検知スイッチ２３に接続するケーブル１４が訓練器具１３から導出されており、このケーブル１４のプラグ１４ａを収納ボックス１５に設けたジャック１９に挿入することにより、中継基板１２と検知スイッチ２３がケーブル１４を介して接続されるため、使用形態が異なる複数種類の訓練器具１３を用いてバリエーションに富んだ機能訓練を行うことができる。なお、中継基板１２と訓練器具１３を接続する手段としてケーブル１４を用いずに無線によって行うことも可能であり、その場合、収納ボックス１５等に別途スタートスイッチを設け、このスタートスイッチを投入することで切替回路部１８を通常モードから訓練モードに切り替えるようにすれば良い。
【００４７】
また、図１や図５〜図９に示された訓練器具１３とは別のものを使用することも可能であり、例えば、ハンドルを回すことによって検知スイッチ２３がオン動作される訓練器具や、歩行訓練用パッドを両足で交互に踏み込むことで検知スイッチ２３がオン動作される訓練器具等、使用者の鍛えたい部位や運動量等に応じた種々のタイプの訓練器具を使用することができる。
【符号の説明】
【００４８】
１  パチンコ機
２  支持体
３  遊技機本体
４  遊技盤
５  発射ハンドル
５ａ  作動ボタン
６  払出制御基板（発射駆動制御手段）
７  タッチセンサ
８  発射停止スイッチ
９  発射レバーボリューム
１０  払出モータ
１１  球送りソレノイド
１２  中継基板（機能訓練用制御手段）
１３  訓練器具
１４  ケーブル
１４ａ  プラグ
１５  収納ボックス
１６  ワイヤーハーネス
１７  入力判定部
１８  切替回路部
１９  ジャック
２０  ロータリボリューム
２１  調整摘み
２２  器具本体
２２ａ，２５ａ，２６ａ，２８ｂ  可動部
２３  検知スイッチ
２４  表示装置
【図１】
0006719977.tif 000002
【図２】
0006719977.tif 000003
【図３】
0006719977.tif 000004
【図４】
0006719977.tif 000005
【図５】
0006719977.tif 000006
【図６】
0006719977.tif 000007
【図７】
0006719977.tif 000008
【図８】
0006719977.tif 000009
【図９】
0006719977.tif 000010